【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
側壁により隔てられた複数のインクチャネルと該インクチャネルに連設されたノズルを備えた複数のチャネルが設けられ、前記側壁の一部又は全体が圧電材料で構成され、前記チャネルを印字パルスで駆動してインクを飛翔させるインクジェットヘッドの前記チャネルが配列順にｎ個を１単位とする単位に分けられ、該単位の各々に属する前記チャネルの一つずつが１周期内に駆動され、ｎ周期で１駆動サイクルが構成されるインクジェットヘッドの駆動方法において、射出を選択されたチャネルに隣接する単位に属する同サイクルのチャネルが非射出の場合に、前記射出を選択されたチャネルに一つ以上おいて隣のチャネルの少なくとも一つにダミーパルスを印加する事を特徴とするインクジェットヘッドの駆動方法。
【請求項２】
上記ダミーパルスが印加されるチャネルは、前記射出を選択されたチャネルと同じサイクルで駆動されるチャネルを除いたチャネルであることを特徴とする請求項１に記載のインクジェットヘッドの駆動方法。
【請求項３】
上記ダミーパルスは上記射出を選択されたチャネルを駆動する印字パルスと同一のタイミングで印加されることを特徴とする請求項１又は請求項２に記載のインクジェットヘッドの駆動方法。
【請求項４】
上記ダミーパルスは上記射出を選択されたチャネルを駆動する印字パルスと同一のタイミングで印加されることを特徴とする請求項１又は請求項２に記載のインクジェットヘッドの駆動方法。
【請求項５】
上記単位を構成するチャネルの個数ｎがｎ＝３であることを特徴とする請求項１乃至４に記載のインクジェットヘッドの駆動方法。
【請求項６】
側壁により隔てられた複数のインクチャネルと該インクチャネルに連設されたノズルを備えた複数のチャネルが設けられ、前記側壁の一部又は全体が圧電材料で構成され、前記チャネルを印字パルスで駆動してインクを飛翔させるインクジェットヘッドの前記チャネルが配列順にｎ個を１単位とする単位に分けられ、該単位の各々に属する前記チャネルの一つずつが１周期内に駆動され、ｎ周期で１駆動サイクルが構成されるインクジェットヘッドの駆動方法において、射出を選択されたチャネルに隣接する単位に属する同サイクルのチャネルが非射出の場合に、前記射出を選択されたチャネルに一つ以上おいて隣のチャネルの少なくとも一つの片方の側壁のみを変形させることを特徴とするインクジェットヘッドの駆動方法。
【請求項７】
側壁により隔てられた複数のインクチャネルと該インクチャネルに連設されたノズルを備えた複数のチャネルが設けられ、前記側壁の一部又は全体が圧電材料で構成され、前記チャネルを印字パルスで駆動してインクを飛翔させるインクジェットヘッドの前記チャネルが配列順にｎ個を１単位とする単位に分けられ、該単位の各々に属する前記チャネルの一つずつが１周期内に駆動され、ｎ周期で１駆動サイクルが構成されるインクジェットヘッドの駆動方法において、射出を選択されたチャネルに隣接する単位に属する同サイクルのチャネルが非射出の場合に、前記射出を選択されたチャネルに一つ以上おいて隣の互いに隣接する二つのチャネルにダミーパルスを印加することを特徴とするインクジェットヘッドの駆動方法。
【請求項８】
上記互いに隣接する二つのチャネルに印加されるダミーパルスは、印字パルスの電圧より低い電圧であることをすることを特徴とする請求項７記載のインクジェットヘッドの駆動方法。
【請求項９】
上記互いに隣接する二つのチャネルに印加されるダミーパルスは、印字パルスの電圧と同一の電圧であることをすることを特徴とする請求項７記載のインクジェットヘッドの駆動方法。
【手続補正２】
【補正対象書類名】明細書
【補正対象項目名】００１３
【補正方法】変更
【補正の内容】
【００１３】
【課題を解決するための手段】
前記の本発明の目的は、
側壁により隔てられた複数のインクチャネルと該インクチャネルに連設されたノズルを備えた複数のチャネルが設けられ、前記側壁の一部又は全体が圧電材料で構成され、前記チャネルを印字パルスで駆動してインクを飛翔させるインクジェットヘッドの前記チャネルが配列順にｎ個を１単位とする単位に分けられ、該単位の各々に属する前記チャネルの一つずつが１周期内に駆動され、ｎ周期で１駆動サイクルが構成されるインクジェットヘッドの駆動方法において、射出を選択されたチャネルに隣接する単位に属する同サイクルのチャネルが非射出の場合に、前記射出を選択されたチャネルに一つ以上おいて隣のチャネルの少なくとも一つにダミーパルスを印加する事を特徴とするインクジェットヘッドの駆動方法、
によって達成される。また、
側壁により隔てられた複数のインクチャネルと該インクチャネルに連設されたノズルを備えた複数のチャネルが設けられ、前記側壁の一部又は全体が圧電材料で構成され、前記チャネルを印字パルスで駆動してインクを飛翔させるインクジェットヘッドの前記チャネルが配列順にｎ個を１単位とする単位に分けられ、該単位の各々に属する前記チャネルの一つずつが１周期内に駆動され、ｎ周期で１駆動サイクルが構成されるインクジェットヘッドの駆動方法において、射出を選択されたチャネルに隣接する単位に属する同サイクルのチャネルが非射出の場合に、前記射出を選択されたチャネルに一つ以上おいて隣のチャネルの少なくとも一つの片方の側壁のみを変形させることを特徴とするインクジェットヘッドの駆動方法、
あるいは、
側壁により隔てられた複数のインクチャネルと該インクチャネルに連設されたノズルを備えた複数のチャネルが設けられ、前記側壁の一部又は全体が圧電材料で構成され、前記チャネルを印字パルスで駆動してインクを飛翔させるインクジェットヘッドの前記チャネルが配列順にｎ個を１単位とする単位に分けられ、該単位の各々に属する前記チャネルの一つずつが１周期内に駆動され、ｎ周期で１駆動サイクルが構成されるインクジェットヘッドの駆動方法において、射出を選択されたチャネルに隣接する単位に属する同サイクルのチャネルが非射出の場合に、前記射出を選択されたチャネルに一つ以上おいて隣の互いに隣接する二つのチャネルにダミーパルスを印加することを特徴とするインクジェットヘッドの駆動方法、
によって、前記の本発明の目的は達成される。


【手続補正３】
【補正対象書類名】明細書
【補正対象項目名】００１４
【補正方法】変更
【補正の内容】
【００１４】
【発明の実施の形態】
実際にノズルからインク滴を飛翔させるために使用されている印字パルスの例としては各周期Ｔは２５μｓ、パルス電圧は＋２０Ｖ、パルス幅は５μｓ程度である。既に述べたように従来の駆動方法ではクロストークのため、画像信号のパターンによって各ノズルから飛翔するインク滴の速度は異なる。そこで本実施の形態においては、上記印字パルスの他に、インク滴は飛翔しないが側壁は変形させ、クロストークを活用する適度のダミーパルスを印字パルスが印加されるチャネルに一つ以上おいて隣接するチャネルに印加することにより、インク滴の飛翔速度の変化を補償する手段を採っている。このダミーパルスは例えば上記印字パルスのほぼ半分の電圧１０Ｖ程度のパルスを使用する。即ち、印字パルス（＋２０Ｖ）とダミーパルス（＋１０Ｖ）とインクを非飛翔のチャネルには０Ｖのパルスの３種のパルスを使用する。側壁の変形は隣のチャネルに印加された電圧との差によって発生するので、電圧の水準は０Ｖからずれていてもよい。


【手続補正４】
【補正対象書類名】明細書
【補正対象項目名】００２１
【補正方法】変更
【補正の内容】
【００２１】
【発明の効果】
剪断モードインクジェットヘッドを駆動する場合に、従来の３周期で複数のチャネルを同時駆動する場合には、相互のチャネルが圧力変化の影響を受けるため、クロストークを生じ、インク滴の飛翔速度が速くなるが、単一チャネルのみを駆動する場合にはそのチャネルのインク滴の飛翔速度は遅くなり、インク滴体積の乱れ等を生じ鮮明な画像の形成に問題があった。又このクロストークを解消するためには駆動周期の数を増し、チャネル相互の影響を無くせば良いが、そうすると、記録速度が低下する問題がある。しかし本発明によって印字パルスが印加されるチャネルの一つ以上おいて隣のチャネルにダミーパルスを印加することによってクロストークの影響を活用して上記問題を解消し、画像形成の速度が遅くなることもなく、鮮明な画像を高速で形成することが可能なインクジェットヘッド記録装置が実現される。


【手続補正５】
【補正対象書類名】図面
【補正対象項目名】図９
【補正方法】変更
【補正の内容】
【図９】
2000255055.tif 000001